【手続補正書】
【提出日】令和3年11月9日(2021.11.9)
【手続補正１】
【補正対象書類名】明細書
【補正対象項目名】発明の名称
【補正方法】変更
【補正の内容】
【発明の名称】電子装置
【手続補正２】
【補正対象書類名】明細書
【補正対象項目名】０００１
【補正方法】変更
【補正の内容】
【０００１】
本発明は、装置本体内の収納位置と、装置本体から突出した使用位置との間で移動可能な表示部を備えた電子装置に関する。
【手続補正３】
【補正対象書類名】明細書
【補正対象項目名】０００７
【補正方法】変更
【補正の内容】
【０００７】
そこで、本発明は、装置サイズを大きくすることなく、かつ可動部材が移動する移動時の衝撃を抑えつつスライド量を大きくすることができるポップアップ機構を備えた電子装置を提供することを目的とする。
【手続補正４】
【補正対象書類名】明細書
【補正対象項目名】０００８
【補正方法】変更
【補正の内容】
【０００８】
上記目的を達成するために、請求項１記載の電子装置は、装置本体と、前記装置本体内の収納位置と、前記装置本体から突出した使用位置との間で移動可能な可動部材と、前記可動部材をスライド可能に保持し、前記装置本体内の所定位置に固定された固定部材と、前記可動部材を前記収納位置から前記使用位置へ向けて付勢する付勢手段と、前記固定部材に回動自在に保持されたレバー部材と、前記可動部材に固定された第１の係止部材と、一端が前記レバー部材に係止され、他端が前記固定部材に係止されて前記レバー部材を回動させるように付勢するバネ部材と、を備え、前記バネ部材は、前記レバー部材を第１の円弧方向に付勢するとともに、変曲点を境に前記レバー部材を前記第１の円弧方向と対向する第２の円弧方向へ付勢し、前記レバー部材は、前記可動部材が前記付勢手段の付勢力によって移動する移動幅の終点に達する際に前記第１の係止部材と当接する当接部を備え、前記可動部材が前記移動幅の終点に達する前に、前記第１の係止部材と当接して前記可動部材を前記付勢手段による付勢方向とは反対方向に付勢し、前記可動部材が前記移動幅の終点に達した後、前記第１の係止部材と当接して前記可動部材を前記付勢手段による付勢方向と同じ方向に付勢することを特徴とする。
【手続補正５】
【補正対象書類名】明細書
【補正対象項目名】０００９
【補正方法】変更
【補正の内容】
【０００９】
本発明によれば、レバー部材とバネ部材を組合わせて、可動部材が付勢手段による移動幅の終点に達した後、レバー部材によって可動部材を付勢手段による付勢方向と同じ方向に付勢するように構成した。これによって、省スペースな構成で移動時の衝撃を抑えつつスライド量が大きいポップアップ機構を備えた電子装置を提供することができる。
【手続補正６】
【補正対象書類名】明細書
【補正対象項目名】００２０
【補正方法】変更
【補正の内容】
【００２０】
撮像装置１の背面には、表示装置１５及び操作ボタン群１２が設けられている。操作ボタン群１２は、複数の操作ボタンで構成されており、中央には十字ボタンが配置されている。操作ボタン群１２の各操作ボタンは、撮影条件の変更や再生画面への切り替えなど各種指示を入力する際に利用される。
【手続補正７】
【補正対象書類名】明細書
【補正対象項目名】００４０
【補正方法】変更
【補正の内容】
【００４０】
図５は、ポップダウン状態（ａ）及びポップアップ状態（ｂ）の電子ビューファインダを示す断面図である。図５（ａ）において、電子ビューファインダ２０は、ポップダウン状態（収納状態）にあり、ロックレバー３３によってベースプレート２２の第１の係止ピン２２ａが係止された状態で収納位置に保持されている。このとき、ポップアップバネ３１によってガイドバー２３のＥリング２４が上方に向かって押圧されるので、可動ユニット２０は使用位置方向に付勢されている。可動ユニット２０の収納状態において、ポップアップバネ３１は最も圧縮された状態となり、バネ荷重は最大値となる。
【手続補正８】
【補正対象書類名】特許請求の範囲
【補正対象項目名】全文
【補正方法】変更
【補正の内容】
【特許請求の範囲】
【請求項１】
装置本体と、
装置本体内の収納位置と、前記装置本体から突出した使用位置との間で移動可能な可動部材と、
前記可動部材をスライド可能に保持し、前記装置本体内の所定位置に固定された固定部材と、
前記可動部材を前記収納位置から前記使用位置へ向けて付勢する付勢手段と、
前記固定部材に回動自在に保持されたレバー部材と、
前記可動部材に固定された第１の係止部材と、
一端が前記レバー部材に係止され、他端が前記固定部材に係止されて前記レバー部材を回動させるように付勢するバネ部材と、を備え、
前記バネ部材は、前記レバー部材を第１の円弧方向に付勢するとともに、変曲点を境に前記レバー部材を前記第１の円弧方向と対向する第２の円弧方向へ付勢し、
前記レバー部材は、
前記可動部材が前記付勢手段の付勢力によって移動する移動幅の終点に達する際に前記第１の係止部材と当接する当接部を備え、
前記可動部材が前記移動幅の終点に達する前に、前記第１の係止部材と当接して前記可動部材を前記付勢手段による付勢方向とは反対方向に付勢し、前記可動部材が前記移動幅の終点に達した後、前記第１の係止部材と当接して前記可動部材を前記付勢手段による付勢方向と同じ方向に付勢することを特徴とする電子装置。
【請求項２】
前記バネ部材は、前記可動部材が前記移動幅の終点に達する際、前記変曲点に達することを特徴とする請求項１記載の電子装置。
【請求項３】
前記変曲点では、前記レバー部材の回転軸の中心と当該レバー部材と前記バネ部材との係合部の中心を結ぶ直線Ｌ１と、前記バネ部材の左右両端の中心を結ぶ直線Ｌ２とが交叉角度θ＝０で重なっていることを特徴とする請求項２記載の電子装置。
【請求項４】
前記レバー部材は、回転軸を中心に回動する第１の当接部及び第２の当接部を備えており、
前記バネ部材が前記変曲点に達する前、前記第１の当接部が前記第１の係止部材と当接し、前記バネ部材が前記変曲点に達した後、前記第２の当接部が前記第１の係止部材と当接することを特徴とする請求項１乃至３の何れか１項に記載の電子装置。
【請求項５】
前記レバー部材は、前記第１の円弧方向に付勢された際、前記可動部材を前記付勢手段による付勢方向とは反対方向に付勢し、前記第２の円弧方向に付勢された際、前記可動部材を前記付勢手段による付勢方向に付勢することを特徴とする請求項１乃至４の何れか１項に記載の電子装置。
【請求項６】
前記付勢手段によって付勢された可動部材の移動速度は、前記可動部材が前記移動幅の終点に近づくほど減速することを特徴とする請求項１乃至５の何れか１項に記載の電子装置。
【請求項７】
前記可動部材が前記移動幅の終点に達した後、前記レバー部材は前記第１の係止部材を付勢して前記可動部材を前記使用位置まで移動させることを特徴とする請求項１乃至６の何れか１項に記載の電子装置。
【請求項８】
前記レバー部材の前記第１の当接部および第２の当接部の表面に、衝撃吸収材が貼着されていることを特徴とする請求項４乃至７の何れか１項に記載の電子装置。
【請求項９】
前記レバー部材および前記衝撃吸収材は導電性材料で形成されており、かつ前記可動部材は、前記第１の係止部材に対して当該可動部材の移動方向に間隔を隔てて設けられた第２の係止部材を備えており、
前記可動部材が前記収納位置にある場合、前記レバー部材の第１の当接部は、前記第２の係止部材と当接して前記可動部材と前記固定部材を電気的に導通させ、前記可動部材が前記使用位置にある場合、前記レバー部材の第２の当接部は、前記第１の係止部材と当接して前記可動部材と前記固定部材を電気的に導通させることを特徴とする請求項８記載の電子装置。
【請求項１０】
前記第２の係止部材は、前記可動部材が前記収納位置にある場合、前記レバー部材の前記第１の当接部を押圧して前記レバー部材の回動を抑制することを特徴とする請求項９記載の電子装置。
【請求項１１】
前記可動部材は、接眼部を備えた電子ビューファインダ又は発光部を備えたストロボ装置であることを特徴とする請求項１乃至１０の何れか１項に記載の電子装置。